(57)【特許請求の範囲】
【請求項１】
複数本のフィルタ付タバコを包装する方法であって、
前記フィルタ付タバコの装填体をそろえる工程と、
前記タバコを押し進めることによって、そろえられた前記装填体をフレーム組ステーションに集める工程と、
前記フレーム組ステーションにおいて、開かれたフレームを、前記装填体の周囲に、該装填体の一部が露出するように組み付ける工程と、
前記装填体及びフレームを、前記タバコのフィルタ側端部を最前方に向けた状態で、柔軟なバリアー材料より形成された一時的壁体を通過させることにより、前記バリアー材料から成る材料を、前記装填体の二つの面に沿って後方に引き込む工程と、
前記バリアー材料を折り曲げかつシールして、前記装填体及びフレームの周囲に囲繞体を形成する工程と、
を備えて成るタバコの包装方法。
【請求項２】
請求項１記載の方法において、
そろえられた前記タバコの装填体は、前記装填体を構成する各タバコの端部に作用する供給コンベヤによって集められ、
この供給コンベヤは割り出しコンベヤであって、該コンベヤの割り出し動作は、コンベヤプッシャが前記フィルタ付タバコの各タバコ側端部の直後に位置した時に開始されることを特徴とする方法。
【請求項３】
請求項２記載の方法において、前記コンベヤは、前記装填体を構成する前記フィルタ付タバコの各タバコ側端部を駆動することを特徴とする方法。
【請求項４】
請求項２記載の方法において、そろえられた前記装填体は、各フィルタ付タバコの前記フィルタ側端部を押すことによって前記コンベヤによってピックアップされ、該装填体は、前記一時的壁体を通過する前に両端部の位置を反転されることを特徴とする方法。
【請求項５】
請求項２記載の方法において、そろえられた前記装填体は、該装填体内の各タバコが常にそれらのフィルタ側端部が最前方を向くよう駆動され、これにより、バリアー材料から成る前記一時的壁体には、反転することなく常に装填体のフィルタ側端部が導かれることを特徴とする方法。
【請求項６】
請求項２ないし５の何れかに記載の方法において、前記装填体への前記フレームの組み付けは、少なくとも部分的に予め折り曲げられたフレーム部材を、前記装填体が前記割り出しコンベヤ上で静止状態にあるときに、そろえられたタバコの装填体上に対し下方に折り曲げることによってなされることを特徴とする方法。
【請求項７】
請求項６記載の方法において、前記フレーム部材が、前記バリアー材料による前記装填体の周りへのシールが完成する前に前記装填体の前記後端に折り曲げられる後部フラップを備えていることを特徴とする方法。
【請求項８】
請求項１ないし７の何れか一項記載の方法において、
前記柔軟なバリアー材料が開口部を形成した領域を含んでおり、
該領域には、該領域にわたって該領域の縁部に粘着的に重ねられる柔軟なシール層が設けられており、
前記領域は、タバコの装填体が前記一時的壁体に当たる際に該一時的壁体においてタバコの装填体のフィルタ側端部とそろう位置に設けられていることを特徴とする方法。
【請求項９】
複数本のフィルタ付タバコを包装するための装置であって、
前記フィルタ付タバコを押し進めて、タバコを供給ステーションからフレーム組ステーションまで前進させる供給ステーション手段と、
フレーム部材を装填体の周囲に部分的に設けるフレーム組ステーションと、
ピックアップステーションと、を備え、
前記ピックアップステーションが、
フレーム組された前記装填体の経路を介して延びた、不浸透性の柔軟なウェブを該ピックアップステーションに送る手段と、
前記ピックアップステーションにおいて、前記ウェブを介して、前記装填体を、前記タバコのフィルタ側端部を最前方に向けた状態で押し、かつ、前記装填体及びバリアーウェブを長手方向シールステーション及び端部シールステーションに送るための手段と、を有しており、
これにより、前記ウェブが、前記装填体及びフレームの周囲に、シールされた囲繞体を形成する、ことを特徴とするタバコ包装装置。
【請求項１０】
請求項９記載の装置において、ウェブに開口形成切り込み又は弱化線を形成するウェブ供給ライン、及び後続のステーションを有しており、この後続のステーションにおいて柔軟なシール層が前記開口領域にわたって設けられ、該シール層は該開口領域の縁部に重ねられる永久貼着マージン部を有しており、該ウェブ及びシール層が、シール層が前記タバコの装填体のアプローチ方向から離れた側に位置するように、かつ前記開口領域が前記装填体のフィルタ側端部とそろうように、前記ピックアップステーションに引き渡されることを特徴とする装置。
【請求項１１】
請求項９又は１０記載の装置において、前記装填体は、前記割り出しコンベヤによって前記供給ステーションから前記ピックアップステーションに運ばれることを特徴とする装置。
【請求項１２】
請求項１１記載の装置において、前記供給ステーションにおけるホッパにより、前記タバコは、前記コンベヤのプッシャがタバコ側端部に当接するようになっていることを特徴とする装置。
【請求項１３】
請求項１１記載の装置において、前記供給ステーションにおけるホッパにより、前記タバコは、前記コンベヤのプッシャがタバコ側端部に当接するようにされており、さらに、前記ピックアップステーションの前段に装填体反転手段を備えていることを特徴とする装置。
【請求項１４】
請求項９ないし１３の何れかに記載の装置において、前記フレーム部材を前記フレーム組ステーションに運びかつ前記タバコに前記ブランクを提供する送り手段は、前記フレーム組ステーションにおいて前記タバコに収束する転送レールを備えていることを特徴とする装置。
【請求項１５】
請求項１４記載の装置において、前記ブランクは、組立状態において主面に直交する一つの側部パネルと、他方の側部パネルを前記装填体の側部に合わせる手段と、を有していることを特徴とする装置。
【請求項１６】
請求項１５記載の装置において、前記フレーム組ステーションに続いて、前記ブランクの端部フラップを折り込んで前記装填体の端部に合わせる手段を備えていることを特徴とする装置。
【発明の詳細な説明】
【０００１】
【発明の属する技術分野】
本発明は、葉巻 (cigars)、シガリロ (cigarillos)、及び紙巻きタバコ (cigarettes) 等の喫煙品を包装するための装置及び方法に関する。本明細書中では、簡単のため、これらの喫煙品を単に「タバコ (cigarettes)」と称するものとする。
【０００２】
【従来の技術】
本出願人等はここで、本出願人等による国際公開公報 WO-A-9822367 及び WO-A-9822368 に係る係属中のＰＣＴ出願に開示した如き包装の新規形態に関心を抱いている。この形態では、タバコはシールされたバリヤー層内に包装される。そのバリヤー層は通常、金属フォイル／プラスチックラミネート、又は金属化プラスチック (metallized plastic) から成るものである。とりわけこの装置及び方法は、上記公報 WO-A-9822367 に開示されている如き再シール可能なパッケージ (resealable packaging) を製造することができる。
【０００３】
英国特許第 962991 号公開公報から、タバコが装填されたパックを断続コンベヤにより搬送し、セロハン等の重ね合わせ材料から成る一時的な壁部 (temporary wall) を通過させることにより上包装 (overwrap) をすることは公知である。その後、そのアッセンブリがターンテーブル上に置かれた状態で、前記上包装の側方及び端部がシールされる。完成されたパックに対して上記装置と同様の操作をなすその他の装置は、英国特許第 757250 号公開公報、同第 1543745  号公開公報、同第 2246109 号公開公報、同第 2258225 号公開公報、及び米国特許第 4083165 号明細書に見られる。
【０００４】
【発明が解決しようとする課題、及び、課題を解決するための手段】
本発明も、その一態様において、包装すべき物品を、包装材料から成る一時的な壁部に押し通す技術を用いるものであるが、その目的及び形態は異なるものである。
【０００５】
本発明では、タバコの装填は、カードあるいは同様な材料から成るオープンフレーム (open frame) を用いてなされる。オープンフレームは、装填物を完全には包まない。通常は、装填物の少なくとも一端と一つの広い面とが露出する。このアッセンブリが、包装材料より成る前記一時的壁体（この場合、バリアー材料）を押し通される。このバリアー材料の少なくとも一部は、折り込まれかつシールされた際、装填物のタバコに直接接触する。
【０００６】
通常、その結果できるものは、本出願人等による国際特許公開公報 WO-A-9822368 に開示しかつクレームした如き「半剛性」アッセンブリであり、完成された包装体（従来の上包装となる可能のある）、あるいは剛性を有した従来の外側容器を持った包装体の一部となるものである。さらに、国際公開公報 WO-A-9822367 に開示されている如き再シール可能なパッケージのために、前記バリアー材料には、恒久的に接着される部分を有したカバーが設けられることになる。その接着される部分は、このバリアー材料における弱められた開口形成用の各切込み又は線を越えて設けられている。また、上記の重なり部の少なくとも一部を、折り曲げるかあるいは後方に片寄せるかして飛び出たせて、この再シール可能な包装体を容易に開くためにつかむことのできるタブを形成することもできる。
【０００７】
次いで前記シールされた装填物は、（場合によってはその他の装填物と共に）開閉蓋型、シェル及びスライド型、Laube 型、またはその他のタイプの剛性容器内に挿入され、その後、周知方法によって上包装される。
【０００８】
本発明の別の態様では、タバコ包装装置の送りコンベヤが割り出しコンベヤ (indexing conveyor) 〔上送りプッシャ (walking pusher) の割り出しプッシャ等も含む〕である。このコンベヤの割り出し動作は、包装されたタバコの端部の背後にコンベヤプッシャが来た直後に開始される。従って、タバコの包装体は、所定の速度で動いているコンベヤによって衝撃を受けずにコンベヤによって徐々に加速され、タバコの棒状形態にダメージを与えたりそれを損傷するようなことがない。通常、タバコは常に、フィルタ側端部を最初にそろえられた装填状態で移送される。それは、タバコが反転することなく、装填体のフィルタ側端部がバリアー材料の一時的壁体内に導かれるようにするためである。ただし、コンベヤ（この場合、割り出しコンベヤである必要はない）が、分配ホッパから装填体を集める際に、最初にタバコのフィルタ端を操作 (drive) することが必要である場合には、包装体が前記一時的壁体に接触する前にターンテーブルを配設することもできる。それによってタバコの進行方向を反転でき、フィルタ端が一時的壁体に接触することになる。この場合、装填体とフレームとの組立ては前記ターンテーブル上（特にこのターンテーブルが割り出しターンテーブルであった場合）にて実施される。
【０００９】
本発明のさらに別の態様では、タバコの装填体によるフレームの組立ては、そろえられたタバコの装填体が割り出しコンベヤ上で静止している間に、少なくとも一部が予め折り込みされたフレーム部材を該装填体の上に載置することによってなされる。そのフレーム部材は、好ましくは、タバコのタバコ側端部（フィルタ側端部に対する端部；通常はタバコの後端部）上に下向きに（すなわち、少なくとも装填体を包むバリアー材料のシールを終了する前に）折り込まれる後部フラップを備えている。
【００１０】
また、本発明は、タバコの包装を実施する装置を提供するもので、その装置は、供給ステーションと、供給ステーションからのタバコの装填体の周囲の少なくとも一部にフレーム部材を設けるフレーム組ステーションと、ピックアップステーションと、を備えて成る。ピックアップステーションは、フレーム組された前記装填体の経路を介して延びた、不浸透性の柔軟なウェブを該ピックアップステーションに送る手段と、前記ピックアップステーションにおいて前記ウェブを介して前記装填体を押しかつ前記装填体及びバリアーウェブを細長いステーション及び端部シールステーションに送るための手段と、を有しており、これにより、前記ウェブが、前記装填体及びフレームの周囲に、シールされた囲繞体を形成する。本発明の別の態様では、このタバコ包装装置がさらにウェブ供給ラインを備えている。このラインにおいて、ウェブには、開口形成用の切り込み又は弱化線が形成される。このウェブ供給ラインには後続のステーションが設けられており、その後続ステーションにおいて、柔軟なシール層が、形成された開口部に設けられる。このシール層は、好ましくは、永久的な粘着性を有したマージン部を有しており、このマージン部は前記開口形成用の切り込み又は線の縁部に重ねられる。これらウェブとカバーは前記ピックアップステーションに供給される。その際、カバーはタバコの装填体のアプローチ方向とは反対側に対してなされ、かつ前記開口は装填体の前面に対してそろえられる。装填体前面は、通常は、装填体のフィルタ側端部である。
【００１１】
コンベヤは、このタバコ包装装置の供給ステーションからピックアップステーションに装填体を運び、装填体はこのピックアップステーションにてバリアー材料から成る一時的壁体に遭遇する。このコンベヤを割り出しコンベヤとすることができる。特に、供給ステーションにおけるホッパにより、コンベヤのプッシャがタバコ側端部に当接するようになっている場合には割り出しコンベヤであることが望ましい。何れにせよ、コンベヤの供給位置及び割り出し位置は好ましく調節されている。すなわち、コンベヤのプッシャの停止位置は装填体のタバコ側端部に近接しており、従って、プッシャが移動した際には、装填体及びこれらプッシャの双方がともに滑らかに加速する。さらに、割り出しコンベヤが設けられている場合、前記フレームは、その割り出し動作の一時停止の間、及び／又は、装填体の前端が前記バリアー層により形成された前記一時的壁体の直前で停止した際に間に前記装填体に取り付けることができる。この場合、装填体及び壁体はともに、コンベヤが再駆動することにより再度加速される。同様に、開いたフレームの端部フラップの折り込みも、割り出しコンベヤの静止時に行うことができる。
【００１２】
変形例による装置では、供給部から前記装填体を運ぶコンベヤがタバコのフィルタ側端部に突き当たりる。またこの場合、該装置は、好ましくは、タバコが前記ピックアップステーションに至る前にそれらタバコを反転させる手段を有している。これにより、ピックアップステーションではフィルタ側端部が装填体の前端を向くものとなる。このコンベヤは割り出しコンベヤでなくともよく、往復動プッシャであってもよい。前記反転手段はターンテーブルを備えていてもよく、また、そのターンテーブルを割り出しターンテーブル (indexing turntable) とした場合には、前記フレームを装填体に取り付けるのに、そのターンテーブルの割り出し動作の一時停止を利用することができる。
【００１３】
【発明の実施の形態】
図１は装置の第一部分の側面図；
図２は装置の第二部分の平面図；
図３は第一部分の一部を示す側面図；
図４及び図５は、別の操作段階にある第一部分の一部を示す斜視図；
図６は、図４及び図５に示した部位の平面図；
図７は、簡略化のためいくつかの部材を省略した図６に示した部位の平面図；
図８は、変形装置の詳細を示す平面図である。
【００１４】
図１において、コンベヤ１は複数のプッシャを有している。これらプッシャは、図示しない供給ホッパの底部に位置した供給ステーションから、これらプッシャが供給ホッパの下部を通過する際に、タバコの装填体 (charge) ２を引き出す。コンベヤはトラフ（trough: 溝）内に延在しており、これにより、タバコはそろえられた状態で搬送されるものとなっている。
【００１５】
特に、タバコが、コンベヤのプッシャとタバコのタバコ側端部との間の動作によって前記ホッパから取られる場合には、コンベヤ１が割り出しコンベヤ (indexing conveyor) であって、しかも、前記供給ステーション及び後述する他のステーションが、前記プッシャが前記ホッパ内のタバコ側端部の直後にある時にはそれらプッシャが静止しているように、そのコンベヤの割り出しと整合されていることが好ましい。そうすれば、タバコの装填体がコンベヤによって徐々に加速され、速度をもって連続移動しているコンベヤによる場合のようにコンベヤによって打撃されることがない。これにより、タバコのタバコ側端部が受ける衝撃は減少し、これによりタバコの損失及び前記端部の変形が減少する。また、タバコの装填体は各装填体を囲むフレームの組立て最終ステージにおいて静止しており、かつ装填体の前端が、包装体を形成する柔軟なバリアー材料からなる一時的壁にほぼ接触する。後者の場合、前記バリアー材料は、動いている装填体から衝撃を受けることはなく、装填体によって徐々に加速される。
【００１６】
より詳細には、コンベヤ１は装填体２をフレーム組ステーション (framing station) ３まで搬送し、そこで、内部フレームのために予め裁断されたカード状のブランクが搬送レール４に沿って送られる。これら搬送レール４はそれぞれ、位置２′にあって両側の側方パネ  ルが下方に折り曲げられている装填体の上方に位置している。本出願人等により出願さた係属中のＰＣＴ出願明細書には種々の形態のフレームブランクを開示してある。それらフレームブランクは、全て、それ自体では一貫した容器 (coherent container) には形成することのできないオープンフレームである点で共通している。これらのブランクは、ほとんどの部分に対して、唯一つの広い面と、二つの側方パネルと、唯一つの端部フラップとを有しており、それらは単に部分的なもので、両側部パネルの延長部によって形成することができる。
【００１７】
ステーション３前段には、不良装填体を排除する「抜け落ちタバコ  (missing cigarette) 」検出装置が設置されている。
【００１８】
国際公開公報 WO-A-9822368 の図１３及び図１４に示されている如きフレームブランクが、符号５ａで示す位置においてカードのウェブから切り出され（本願図３）、複数の送りローラにより、一対の折り曲げ装置５ｂによって送られる。この折り曲げ装置において、フレームブランクの側方パネルが上方に、かつコンベヤ６の下方にあるガイド内に折り曲げられる。コンベヤ６は複数のプッシャ７を有しており、これらプッシャが前記各ブランクの背後に降下して、各ブランクを離間状態で前記ローラ４に移動させる。これらレール４の曲率中心にはスプロケット４ａが設けられており、該スプロケットの複数のスポークの端部４ｂ（２個のみ図示）が、コンベヤ６を出た前記ブランクと係合する。それらスポークの前記端部４ｂは回動可能となっており、かつ、フォロワ４ｄに係合するカム４ｃによって引っ込むものとなっている。そのため、各ブランクがステーション３に至った際に前記スポークが前記コンベヤ１と、あるいはその上にある装填体と干渉することはない。
【００１９】
前記ブランクは前記トラック４に沿って移動することにより反転するので、前記側部パネルは、主パネルから下方に突出することとなる。コンベヤ６はコンベヤ１に対して上下方向にずらされており、後述するバリア層がアクセスできるようになっている。ブランクの一方側は、コンベヤ１と装填体２，２′のラインを横切る必要がある。そのため、一方の側方パネルは前記トラック４の一方によって折り曲げられないようになっている。ステーション３に装填体及びフレームブランクがアプローチする状態を図４に示す。ブランクが折り曲げられた方の側壁は、前記トラフの主壁１０とガイドブレード１４との間のテーパガイド１０ａに入り込む。折り曲げられていない方の側部パネルは他方の主壁１０上に載ることとなる。前記スプロケット４ａの引っ込んだ端部４ｂが位置３にてブランクをクリアーすると、駆動装置８によってダバープレート (dabber plate) ９が下方に移動し、それと同時に該ダバープレートが、主パネルを押し付けるとともに、ブランクの前記折り曲げられた側部パネルを装填体の一方側に押し付け、さらに、パネルの他方の側部パネルを、装填体の他方側に向けて、第二のガイドブレード１５の外側から下方に折り曲げる。この状態を図５に示してある。
【００２０】
図５に最も良く示すように、前記トラフの壁部の一方には欠落部１１が形成されており、このギャップで前記他方の側方パネルが下方に折り曲げられる。
【００２１】
上記のようにして折り曲げられたブランクによって開状態に囲まれた装填体２′がコンベヤ１によって動かされると、両側部パネルは、トラフの壁部の収束部１２，１３に入る（図７も参照のこと）。収束部１２はその口部が下流側に向かって開いており、外側に跳ね上がろうとする傾向を持った前記再折り曲げされた方の側部パネルが受け入れられるようになっている。従って、これら側部パネルは、装填体をコンパクトに保持する。
【００２２】
次いで、このフレーム組された装填体は、２″においてピックアップステーションに移動される。そこで装填体は、コンベヤによる搬送中に、バリア材料１８により形成された一時的壁体 (temporary wall) を通り抜ける。このように通り抜ける前の静止状態の時に、複数のタッカーアーム (tucker arm) １６がカム駆動機構１７によって作動されて、前記フレームの両側部パネルの前端フラップを内側に折り曲げる。
【００２３】
前記バリア材料は、例えば、金属／プラスチックのラミネート、紙／プラスチックのラミネート、又は、金属化プラスチックのラミネートから成るもので、リール１９又２０から（一回の操作では一方のみが使用される）ガイドローラ２１，２２を介して切断ステーション２３まで引き出される。ここでバリア材料のウェブには、切り込み、弱化線、又は同様なものが形成される。これにより、このバリア材料により形成される包装体に、適当な開口部等が形成される。
【００２４】
次いで、未だ完全には切断されていないこのウェブの適当な切り込みはラベルステーション２４に移動する。このラベルステーション２４では、解放ウェブ (release web) 上の自己粘着カバーシートがリール２５からヘッド２６を介して供給される。その後、解放ウェブはリール２７に巻き取られる。
【００２５】
前記バリア層は、もし好ましければ、国際公開公報 WO-A-9822367 に開示されている如き再シール可能 (resealable) なものであってもよい。貼付されるラベルは、前記ステーション２３にて形成された前記切り込み又は弱化線により形成された開口部の開口可能な縁部の周囲に突出した、永久的な粘着部を有したものとされる。ただし、追加のラベル、又は異なった形態のラベルを設けることもできるし、あるいは、場合によってはラベルを全く設けないことも有り得る。
【００２６】
次いで、ラベル貼着されたウェブは、さらなる遊びローラ２８を介して、駆動ローラの対２９に移動する。この駆動ローラは、ラベル貼着されたウェブを、スリットを通し、コンベヤベッドのギャップ３１を介して、ガイド３０間に送り込む。このウェブは、コンベヤの下方で、回転ブラシ３２によって、下方に向けてブラシされる。これにより、自由端がコンベヤよりも下方にあるにも拘わらず、適当な長さの材料がバリア壁として保持され、このバリア壁を、コンベヤによって移動させられるタバコのフレーム付装填体が通過する。この通過の際に、バリア材料が、ナイフ３３によって所定の長さに切断される。装填体がさらに前進する際にこの装填体は、鋤状部材 (plough) ３４の下で、バリア材料をその前縁から後方にかけて上方及び下方に引きずり、それが上面及び下面となる。さらに、開口部及びカバー層の位置は、内側のフレーム及びタバコ装填体のフィルタ側端部とそろうように調節される。従って、完成されたパッケージでは、前記開口部は、各パッケージのフィルタ側端部、及びユーザの便利のために内部フレームに通常形成される凹所にアクセスするものとされる。
【００２７】
前記ラベルステーション又はそれ以降におけるラベル作成中に、前記カバーの、永久的粘着剤を有しない部分は後方に曲げられる。従って、完成パッケージでは、それはラベルの残りの部分に所定の角度で設けられ、ユーザが該パッケージのバリア層を開封する際に保持するタブあるいはハンドル部を容易に提供するものとなる。
【００２８】
両側及び背部に前記バリア材料が延在した上記ののフレーム組された装填体は、次いで、該装置の図２で示す部分に移送される。この部分で、装填体はまず複数のコンバータ４０を通過する。このコンバータにおいて、平らな側方合わせ部 (flat side seam) が形成される。次にこれら合わせ部は、装填体がスライダ、トラクタ、又はコンベヤバンド４１の加熱面間を進むことにより熱シールされる。このようにして自身の五面又は六面を囲繞されたこれら装填体は次に、複数の完全ポケット (full pocket) 又は部分ポケット (partial pocket) を有した割り出しコンベヤ４２（図２）に搬送される。このコンベヤの入口端では、前記フレームの未だ折り込まれていない底部フラップが下方に折られ、かつ、一つの端部折り曲げ部を形成する往復動フォルダー（全体として符号４３で示す）内で一時保持される。その後コンベヤが割り出し (index) をし、第二の端部折り曲げ部が形成される。装填体がさらに移動すると、鋤状部材が長い折り曲げ部を形成する。これらこの長い折り曲げ部は、最終的には、別の操作又は一度の操作により、ステーション内に配列された往復動スライド又はトラクタヒータ４４等の加熱面によって、装填体の下方端部で熱シールされる。
【００２９】
完全にシールされた装填体は回転部 (roundabout) ４５に至り、さらに、周知の包装をされ、かつ随意、上包装 (overwrapping) される。
【００３０】
ここに提供される手段及び方法により、完全シールされたタバコの装填体が形成される。この装填体は、前記バリアーが耐湿性のものであれば、実現可能である限り密封シールとなる。
【００３１】
もちろん、喫煙品がフィルタを有しないものである場合には、前記初期のステージにおいてそれら喫煙品がどちらに進むか、あるいは、前記ピックアップステーション２″においてバリアー材料によって形成される前記一時的壁体にはそれら喫煙品のどちら側の端部が接触するようにするか、といったことは重要な問題ではない。ただし、最近のタバコはほとんどフィルタ付ものであるから、この場合には、好ましく、フィルター側端部が最初に前記壁部に接触するものとなっている。
【００３２】
フィルタ側端部を駆動することによってタバコを供給源からピックアップする〔このことは、タバコ本体部 (tobacco rod) からタバコ材料が振れ落ちること、あるいはタバコ本体部がひずむといった問題を回避する〕ことが要求される場合であって、それでもピックアップステーション２″においてフィルタ側端部を最初に前記一時的壁体に接触させる必要がある場合には、図８に示すようにターンテーブル５０を該ステーションの前段に介在させることもできる。
【００３３】
前記ターンテーブルは、符号５１〜５４で示す四つの位置に四つのスロット付キャリアを支持している。フレーム用ブランク５５は、位置５１において前方に移動され、かつ、該キャリアの側壁部内で該両側方パネルが下方に折り曲げられる。このターンテーブルは位置５２に割り出しし、そこで、コンベヤ又は往復動プッシャ５６がホッパ５７からタバコの装填体を挿入する。さらにターンテーブルが位置５３及び５４に割り出しされる。位置５４にてプッシャ５８が、コンベヤ１からキャリアのスロットを介して前記装填体とフレームとを係合させ、その合体されたものをトラフ５９に渡して前記ピックアップステーション２″に向けて流す。ブランクの基部パネル６０は、ブランクが前記ターンテーブル上に位置される前又はターンテーブル上にあるときに下方に折り曲げられ、かつ、タバコの装填体の端部がプッシャ５８と直接接触することを防ぐ位置に置かれる。
【図面の簡単な説明】
【図１】  本発明に係る包装装置の第一の部分の側面図である。
【図２】  本願発明に係る包装装置の第二の部分の平面図である。
【図３】  本願発明の包装装置の第一の部分の一部を示す側面図である。
【図４】  別の操作段階にある第一の部分の一部を示す斜視図である。
【図５】  別の操作段階にある第一の部分の一部を示す斜視図である。
【図６】  図４及び図５に示した部位の平面図である。
【図７】  図６に示した部位を簡略化のためいくつかの部材を省略して示した平面図である。
【図８】  本発明の変形実施形態による装置の詳細を示す平面図である。
【符号の説明】
１  コンベヤ
２，２′  装填体
２″  ピックアップステーション
３  フレーム組ステーション
４  搬送レール
２４  ラベルステーション
５５  フレーム用ブランク
【図１】
0003999371.tif 000002
【図２】
0003999371.tif 000003
【図３】
0003999371.tif 000004
【図４】
0003999371.tif 000005
【図５】
0003999371.tif 000006
【図６】
0003999371.tif 000007
【図７】
0003999371.tif 000008
【図８】
0003999371.tif 000009